(57)【要約】【課題】火力変更を微調整することができる加熱調理器を提供することを目的とする。【解決手段】加熱手段の火力を複数段階に設定する第１の火力調節手段１、２と、第１の火力調節手段１、２による複数の設定段階の火力差よりも小さな火力差で火力調節を行う第２の火力調節手段３、４とを設けたものである。これにより、使用者は、第１の火力調節手段１、２により大きな変化でほぼ思いの火力に火力調節した後に、第２の火力調節手段３、４により火力変更の微調整が可能となるものである。【選択図】図１
2005188881.tif 000002
【特許請求の範囲】
【請求項１】
加熱手段の火力を複数段階に設定する第１の火力調節手段と、前記第１の火力調節手段による複数の設定段階の火力差よりも小さな火力差で火力調節を行う第２の火力調節手段とを設けた加熱調理器。
【請求項２】
第２の火力調節手段は、第１の火力調節手段におけるｎ番目の火力と次の段階のｎ＋１番目の火力間、および所定のｎ番目の火力とｎ−１番目の火力間の範囲で火力調節するようにした請求項１に記載の加熱調理器。
【請求項３】
第１の火力調節手段によって調節された現在の設定火力を表示する第１の火力表示手段と、第２の火力調節手段による火力の増減を表示する第２の火力表示手段とを設けた請求項１に記載の加熱調理器。
【請求項４】
第１の火力調節手段および第２の火力調節手段にて設定された火力を記憶する記憶手段と、変更前の火力の如何に拘わらず前記記憶手段に記憶された火力に設定を直接変更する直接設定手段とを設けた請求項１に記載の加熱調理器。
【請求項５】
第１の火力調節手段による火力変更と、第２の火力調節手段による火力変更とを報知する報知手段を設け、両者の報知を異ならせた請求項１に記載の加熱調理器。
【発明の詳細な説明】
【技術分野】
【０００１】
本発明は、火力変更を微調整することができる加熱調理器に関するものである。
【背景技術】
【０００２】
従来、熱源の種類を問わず加熱調理器における火力調節は、火力表示部と火力を増減させるスイッチにより構成されているものが一般的であった（例えば、特許文献１参照）。
【０００３】
図５はその一例を示したものであり、火力表示部１０と火力を増減させるスイッチ１１により構成されている。そして、スイッチ１１の操作を受け付けるとブザーなどにより報知を行うようにし操作性を向上させている。また、その他の構成としては、回転式の操作部により火力を調整するもの（例えば、特許文献２参照）や、スイッチ式と回転式の両方を備えたもの（例えば、特許文献３参照）も知られている。
【特許文献１】特開２００３−６５５４３号公報
【特許文献２】特開平１１−３３９９５２号公報
【特許文献３】特開２００２−２６７１８５号公報
【発明の開示】
【発明が解決しようとする課題】
【０００４】
しかしながら、前記従来の火力表示部１０とスイッチ１１を設けたものにおいては、もう少しだけ強くとか、もう少しだけ弱くといった微調整ができないという課題を有し、また、回転式の操作部を設けたもの、スイッチ式と回転式の両方を備えたものにおいては、回転式により火力の微調整ができるものの、手加減によるため、バラツキなく確実に火力の微調整ができないという課題があった。
【０００５】
本発明は、前記従来の課題を解決するもので、火力変更を微調整することができる加熱調理器を提供することを目的とする。
【課題を解決するための手段】
【０００６】
前記従来の課題を解決するために、本発明の加熱調理器は、加熱手段の火力を複数段階に設定する第１の火力調節手段と、第１の火力調節手段による複数の設定段階の火力差よりも小さな火力差で火力調節を行う第２の火力調節手段とを設けたものである。
【０００７】
これにより、使用者は、第１の火力調節手段により大きな変化でほぼ思いの火力に火力調節した後に、第２の火力調節手段により火力変更の微調整が可能となるものである。
【発明の効果】
【０００８】
本発明の加熱調理器は、第１の火力調節手段と第２の火力調節手段により、火力変更を微調整することができる。
【発明を実施するための最良の形態】
【０００９】
第１の発明は、加熱手段の火力を複数段階に設定する第１の火力調節手段と、前記第１の火力調節手段による複数の設定段階の火力差よりも小さな火力差で火力調節を行う第２の火力調節手段とを設けた加熱調理器としたことにより、使用者は、第１の火力調節手段により大きな変化でほぼ思いの火力に火力調節した後に、第２の火力調節手段により火力変更の微調整が可能となる。
【００１０】
第２の発明は、特に、第１の発明において、第２の火力調節手段は、第１の火力調節手段におけるｎ番目の火力と次の段階のｎ＋１番目の火力間、および所定のｎ番目の火力とｎ−１番目の火力間の範囲で火力調節するようにしたことにより、使用者は、第１の火力調節手段にて設定した火力を基準として、少し弱く、少し強くといった感覚で使用感に合う火力の微調整が可能となる。
【００１１】
第３の発明は、特に、第１の発明において、第１の火力調節手段によって調節された現在の設定火力を表示する第１の火力表示手段と、第２の火力調節手段による火力の増減を表示する第２の火力表示手段とを設けたことにより、使用者は現在の設定火力と自分の設定した微妙な増減を確認することができる。
【００１２】
第４の発明は、特に、第１の発明において、第１の火力調節手段および第２の火力調節手段にて設定された火力を記憶する記憶手段と、変更前の火力の如何に拘わらず前記記憶手段に記憶された火力に設定を直接変更する直接設定手段とを設けたことにより、使用者は、複数の操作をしなくとも、前回に使用した使い勝手の良い火力に火力を直接調整することが可能になるものである。
【００１３】
第５の発明は、特に、第１の発明において、第１の火力調節手段による火力変更と、第２の火力調節手段による火力変更とを報知する報知手段を設け、両者の報知を異ならせたことにより、大きな火力の設定変更の操作と、火力の微調整時の操作を報知音で確認でき、誤操作が防止できる。
【００１４】
以下、本発明の実施の形態について、図面を参照しながら説明する。なお、この実施の形態によって本発明が限定されるものではない。
【００１５】
（実施の形態１）
図１は本発明の実施の形態１における加熱調理器の操作／表示部を示すものである。
【００１６】
図に示すように、使用者は、ダウンキー１とアップキー２の押圧操作により、大きな段階で加熱手段（図示せず）の所要の火力設定を行うものである。これらダウンキー１とアップキー２により、加熱手段の火力を複数段階に設定する第１の火力設定手段を構成している。ここで、今の火力「４」（７００Ｗ）は強すぎるが、一段階落とした「３」（５００Ｗ）では弱すぎると感じた場合には、ダウンキー１のそばに設けた微減キー３を操作して７００Ｗと５００Ｗの中間の火力６５０Ｗに火力を下げることができ、逆に、設定「３」では弱いが設定「４」では強すぎ、少し火力を上げたい場合には、アップキー２のそばに設けた微増キー４を操作し火力を５５０Ｗにすることができるものである。これら微減キー３と微増キー４により、第１の火力調節手段による複数の設定段階の火力差よりも小さな火力差で火力調節を行う第２の火力調節手段を構成している。すなわち、第２の火力調節手段は、第１の火力調節手段におけるｎ番目の火力と次の段階のｎ＋１番目の火力間、および所定のｎ番目の火力とｎ−１番目の火力間の範囲で火力調節するようにしたものである。これにより、使用者は、第１の火力調節手段にて設定した火力を基準として、少し弱く、少し強くといった感覚で使用感に合う火力に微調整が可能となる。
【００１７】
そして、火力調節は火力表示手段５にて表示されるものである。この火力表示手段５は、第１の火力調節手段によって調節された現在の設定火力を表示する第１の火力表示手段５ａと、第２の火力調節手段による火力の増減を表示する第２の火力表示手段５ｂとを備えているものである。前記第１の火力表示手段５ａおよび第２の火力表示手段５ｂによる表示は、図１に示すように、予め表示されている所定箇所（この場合は、「３」または「４」、「やや弱め」または「やや強め」）を点灯することにより表示するか、図２に示すように、現状を示している所定箇所（この場合は、「３」と「やや強め」）のみを表示する（他は非表示状態）ようにするなど、表示方法は種々考えられるものであり、実施の形態に限定されるものではない。
【００１８】
なお、図に示すように、加熱調理器の操作／表示部には、火力を記憶する記憶手段６および火力を直接設定変更するための直接設定手段７をも設けている。また、加熱手段は図示していないが、その熱源は特に限定されるものではない。この加熱手段は、第１、第２の火力調節手段により、制御手段を介して、適宜、火力が制御されるものである。
【００１９】
図３は、第１、第２の火力調節手段による火力調節範囲を示している。
【００２０】
図において、第１の火力設定手段で設定できる範囲の上下の次段階までを、第２の火力設定手段の設定範囲としている。この第２の火力設定手段の設定段階は、およそ２〜３段階が妥当な範囲である。また、火力が大きいときにはその刻み段階を多く、火力が低いときには刻み段階を少なくすることも実用的である。
【００２１】
さらに、図示はしていないが、本実施の形態では、ブザーなどの報知手段を設けているものであり、第１の火力設定手段であるダウンキー１もしくはアップキー２を受け付けたときには、例えば、０．１秒のブザーを１回吹鳴させ、第２の火力設定手段である微減キー３もしくは微増キー４を受け付けたときには、例えば、０．０５秒オン／０．０５秒オフのブザーを２回吹鳴させることにより、使用者に使用者自身の行っているキー操作を伝えているものである。これにより、大きな火力の設定変更の操作と、火力の微調整時の操作を報知音で確認できるようにして誤操作を防止している。
【００２２】
（実施の形態２）
次に、本発明の実施の形態２における加熱調理器について、図１〜図４により説明する。
【００２３】
本実施の形態における、記憶手段６は、第１の火力調節手段および第２の火力調節手段にて設定された火力を記憶するものであり、直接設定手段７は、変更前の火力の如何に拘わらず前記記憶手段６に記憶された火力に設定を直接変更するものである。すなわち、前記記憶手段６は、図に示す直接設定手段７の「火力１」〜「火力３」の３種類の火力を記憶することが可能である。これにより、使用者は、複数の操作をしなくとも、前回に使用した使い勝手の良い火力に火力を直接調整することが可能になるものである。
【００２４】
次に、記憶手段６による記憶のさせ方について図４により説明する。
【００２５】
使用者が第１の火力調節手段および第２の火力調節手段にて納得した火力設定を行った後に、記憶手段６のキーを押し、その後、直接設定手段７の一部である「火力１」キーを押すと、例えば、そのときの火力「５５０Ｗ」が記憶手段６の「記憶１」に記憶される。この場合、記憶手段６は、マイクロコンピューターと不揮発性メモリで構成されるのが一般的である。
【００２６】
記憶手段６に任意の火力「５５０Ｗ」が記憶された状態で火力設定を「強」（２０００Ｗ）に変更して使用し、その後に、「火力１」キーを操作すると、キー操作を複数回することなく、ワンタッチで再び「５５０Ｗ」に火力設定が直接変更されるものである。
【００２７】
同様に、「火力２」キー、「火力３」キーにも、異なる火力を「記憶２」、「記憶３」として記憶することができるものであり、必要とする「火力２」キーまたは「火力３」キーを操作することにより、それぞれに記憶された火力設定に直接変更される。
【産業上の利用可能性】
【００２８】
本発明の加熱調理器は、第１の火力調節手段と第２の火力調節手段により、火力変更を微調整することができるので、電気、ガス、燃料、その他の熱源に拘わらず、火力調節機能が付加された加熱調理器全般に適用することができる。
【図面の簡単な説明】
【００２９】
【図１】本発明の実施の形態１における加熱調理器の操作／表示部を示す平面図
【図２】同加熱調理器における他の形態の操作／表示部を示す平面図
【図３】同加熱調理器における火力調節範囲を示す動作状態図
【図４】本発明の実施の形態２における加熱調理器の火力記憶のフローチャート
【図５】従来の加熱調理器の操作／表示部の平面図
【符号の説明】
【００３０】
１  ダウンキー（第１の火力設定手段）
２  アップキー（第１の火力設定手段）
３  微減キー（第２の火力設定手段）
４  微増キー（第２の火力設定手段）
５  火力表示手段
６  記憶手段
７  直接設定手段
【図１】
2005188881.tif 000003
【図２】
2005188881.tif 000004
【図３】
2005188881.tif 000005
【図４】
2005188881.tif 000006
【図５】
2005188881.tif 000007